【手続補正書】
【提出日】平成20年2月15日(2008.2.15)
【手続補正１】
【補正対象書類名】明細書
【補正対象項目名】特許請求の範囲
【補正方法】変更
【補正の内容】
【特許請求の範囲】
【請求項１】 サブスクライバ端末のグループの身元（identification）を含む通信を、グループの全ての端末に宛先指定する(address)ことによって、グループの身元を伝える通信がグループのいずれの１つの特定の端末だけに宛先指定されることがないようにされ、グループの身元が、グループの全ての端末によって、アクセスされ、読み取られ得るようにされるヘッドエンド、
更に、要求からグループ識別子を抽出するために、そして、グループ識別子に関連する１つあるいはそれより多い変調器が、ビデオ・オン・デマンド・データを下流に(downstream)渡す(pass)ことを可能とするために、グループ識別子(identifier)を含む、ビデオ・オン・デマンド・データのための要求を、受信するようにされるヘッドエンド、
を備えるビデオ・オン・デマンド・システム。
【請求項２】 更に、ビデオ・オン・デマンド・データに、１つあるいはそれより多い変調器に関連するプログラム・スロット(program slot)を割り当てるようにされ、そして、
要求に応じて、サブスクライバ端末に、選択された変調器及び割り当てられたプログラム・スロットの指示(indication)を通信するようにされる、請求項１に記載のヘッドエンド。
【請求項３】 更に、グループ識別子を、プログラム・ストリームの一部として、サブスクライバのグループに周期的に通信するようにされる、請求項１に記載のヘッドエンド。
【請求項４】 更に、周期的に、グループ識別子を、ＭＰＥＧデータ・プログラム・ストリームの一部として、サブスクライバのグループに通信するようにされる、請求項３に記載のヘッドエンド。
【請求項５】 ビデオ・サーバ及びアプリケーション・サーバであって、
当該アプリケーション・サーバが、ビデオ・オン・デマンド・データに対する要求の中(in)で受信されたサブスクライバ・グループ識別子を抽出するようにされ、
当該ビデオ・サーバが、アプリケーション・サーバと協動して、サブスクライバ・グループ識別子に関連する変調器の１つあるいはそれより多くを識別(identify)するようにされ、及び、要求に応じて、ビデオ・オン・デマンド・データを、変調器に流す(stream)ようにされるものであり、及び、
サブスクライバ・グループ識別子を含む通信を生成するようにされるビデオ・サーバであって、当該通信は、通信が、サブスクライバ・グループの唯１つの特定の端末ではなく、サブスクライバ・グループの全ての端末によってアクセスされ得、読み出され得ようなやり方で宛先指定される(addressed)ものであり、当該ビデオ・サーバが、サブスクライバ・グループのいずれか１つの特定の端末だけに宛先指定される(addressed)ことがないようなやり方で、周期的に通信を送信するようにされるものであり、それによって、サブスクライバ・グループ識別子が、サブスクライバ・グループの全ての端末によって、通信からアクセスされ得、読み出され得るものであるもの、
を備えるビデオ・オン・デマンド・システム。
【請求項６】 前記アプリケーション・サーバ及びビデオサーバが、協動して、ビデオ・オン・デマンド・データを、グループ識別子に関連する全てのサブスクライバ端末に流す(stream)ようにされ、及び、要求を提供した特定のサブスクライバ端末が、特定のサブスクライバ端末に、ビデオ・オン・デマンド・データに関連するプログラム・スロットを知らせる(informing)ことによって、ビデオ・オン・デマンド・データを見る（view）ことを可能とするようにされる、
を更に備える、請求項５に記載のシステム。
【請求項７】 前記ビデオ・サーバが、プログラム・ストリームの一部として、サブスクライバ・グループ識別子を、グループ識別子に関連するサブスクライバ端末に、周期的に通信するようにされ、及び、プログラム・スロットを、帯域外(out of band)で、特定のサブスクライバ端末に通信するようにされる、
を更に備える、請求項６に記載のシステム。
【請求項８】 前記ビデオ・サーバが、ＭＰＥＧデータ・プログラム・ストリームの一部として、サブスクライバ・グループ識別子を、グループ識別子に関連するサブスクライバ端末に周期的に通信するようにされる、
を更に備える、請求項５に記載のシステム。
【請求項９】 サブスクライバ・グループ識別子を含む通信を生成し、
通信が、サブスクライバ・グループの唯１つの特定の端末ではなく、サブスクライバ・グループの全ての端末によってアクセスされ得、読み出され得るようなやり方で通信を宛先指定し(addressing)、通信を、通信がサブスクライバ・グループのいずれか１つの特定の端末だけに宛先指定されることがないようなやり方で、サブスクライバ・グループ内の全ての端末に送信し、それによって、サブスクライバ・グループ識別子が、サブスクライバ・グループの全ての端末によって、通信から、アクセスされ得、読み出され得るようにし、
サブスクライバ・グループの特定のサブスクライバ装置からビデオ・オン・デマンド・データ要求を受信し、当該要求が、サブスクライバ・グループ識別子を含むものであり、
ビデオ・オン・デマンド・データを、サブスクライバ・グループ識別子に関連する、少なくとも１つの変調器に流し(streaming)、及び、
ビデオ・オン・デマンド・データのプログラム番号を、ビデオ・オン・デマンド・データに対する要求を発信した(originated)特定のサブスクライバ装置に通信するが、ビデオ・オン・デマンド・データに対する要求を発信しなかったサブスクライバ・グループの他の端末には通信しない、
ステップを含む、ビデオ・オン・デマンド配送方法。
【請求項１０】 サブスクライバ・グループのサブスクライバ装置に、サブスクライバ・グループ識別子を含むプログラム・ストリームを流し(streaming)、そして、帯域外で(out of band)プログラム番号を通信する、
ステップを更に含む、請求項９に記載の方法。
【請求項１１】 端末装置のグループを識別するグループ識別子を含むプログラム・ストリームを受信するための手段であって、当該プログラム・ストリームが、特定の端末装置に宛先指定されるものではなく、代わりに、グループの全ての端末装置に利用可能であり、プログラム・ストリームに同調して、グループ識別子を抽出するためのものであり、
グループ識別子を、ビデオ・オン・デマンド・データに対する要求の中に含ませるための手段、及び、
ビデオ・オン・デマンド・データを受信するための手段、
を備える、サブスクライバ端末。
【請求項１２】 帯域外チャンネルを介して、ビデオ・オン・デマンド・データのためのプログラム番号を受信するための手段、及び、
プログラム番号に関連する周波数に同調するための手段、
を更に含む、請求項１１に記載のサブスクライバ端末。
【請求項１３】 サブスクライバ端末のグループの身元（identification）を含む通信を、グループの端末に宛先指定することによって、グループの身元の通信がグループのいずれか１つの特定の端末だけに宛先指定されないようにし、グループの身元が、グループの全ての端末によってアクセスされ得、読み出され得るようにする、ためのソフトウェアを含むヘッドエンド、
を備え、
ヘッドエンドが更に、
要求からグループ識別子を抽出するために、そして、グループ識別子に関連する１つあるいはそれより多い変調器が、ビデオ・オン・デマンド・データを、下流に渡すことを可能とするために、グループ識別子を含むビデオ・オン・デマンド・データに対する要求を受信するためのソフトウェア、
を含む、
ビデオ・オン・デマンド・システム。
【請求項１４】 ビデオ・オン・デマンド・データに、１つあるいはそれより多い変調器に関連するプログラム・スロットを割当て、要求に応じて、サブスクライバ端末に、選択された変調器及び割り当てられたプログラム・スロットの指示(indication)を通信するためのソフトウェアを更に含む、請求項１３に記載のヘッドエンド。
【請求項１５】 プログラム・ストリームの一部として、周期的に、グループ識別子を、サブスクライバのグループに通信するためのソフトウェアを更に含む、請求項１３に記載のヘッドエンド。
【請求項１６】 ＭＰＥＧデータ・プログラム・ストリームの一部として、周期的に、グループ識別子を、サブスクライバのグループに通信するためのソフトウェアを更に含む、請求項１５に記載のヘッドエンド。
【請求項１７】 ビデオ・サーバ及びアプリケーション・サーバであって、
当該アプリケーション・サーバが、ビデオ・オン・デマンド・データに対する要求の中で受信されたサブスクライバ・グループ識別子を抽出するためのソフトウェアを含み、
当該ビデオ・サーバが、サブスクライバ・グループ識別子に関連する変調器の１つあるいはそれより多くを識別(identify)するために、及び、要求に応じてビデオ・オン・デマンド・データを変調器に流す(stream)ために、アプリケーション・サーバと協動するためのソフトウェアを含み、及び、
サブスクライバ・グループ識別子を含む通信を生成するためのソフトウェアを含むビデオサーバであって、通信が、サブスクライバ・グループの唯１つの特定の端末だけではなく、サブスクライバ・グループの全ての端末によってアクセスされ得、読み出され得るようなやり方で、当該通信が宛先指定され、当該ビデオ・サーバが、サブスクライバ・グループのいずれか１つだけの特定の端末に宛先指定されないようなやり方で、周期的に、通信を送信するようにされることによって、サブスクライバ・グループの身元が、サブスクライバ・グループの全ての端末によって、通信からアクセスされ得、読み出され得るようにされる、
を備えるビデオ・オン・デマンド・システム。
【請求項１８】 ビデオ・オン・デマンド・データを、グループ識別子に関連する全てのサブスクライバ端末に流す（stream）ため、及び、特定のサブスクライバ・ターミナルに、ビデオ・オン・デマンド・データに関連するプログラム・スロットを知らせる(informing)ことによって、要求を提供した特定のサブスクライバ端末が、ビデオ・オン・デマンド・データを見る(view)ことを可能とするために、互いに協動するためのソフトウェアを含む前記アプリケーション・サーバ及びビデオ・サーバ、
を更に備える、請求項１７に記載のシステム。
【請求項１９】 プログラム・ストリームの一部として、周期的に、サブスクライバ・グループ識別子を、グループ識別子に関連するサブスクライバ端末に通信するための、及び、プログラム・スロットを、帯域外で、特定のサブスクライバ端末に通信するための、ソフトウェアを備える前記ビデオ・サーバ、を更に備える請求項１７に記載のシステム。
【請求項２０】 ＭＰＥＧデータ・プログラム・ストリームの一部として、周期的に、サブスクライバ・グループ識別子を、グループ識別子に関連するサブスクライバ端末に通信するためのソフトウェアを備える前記ビデオ・サーバ、
を更に備える、請求項１７に記載のシステム。